(57)【要約】【課題】放送中の番組の縮小映像が一覧表示されるテレビジョン受像機を提供する。【解決手段】ＥＰＧ復調部２１により復調されたＥＰＧ情報は、ＲＡＭ２７に随時記憶される。ＣＰＵ２５は、ＣＬＯＣＫ２８が出力する時刻と一致する開始時刻を有する開始番組に係る情報をＥＰＧ情報から抽出する。ＣＰＵ２５は、選局部１１に抽出した情報に含まれるチャンネルを指定して映像圧縮部２２が出力する縮小映像を、抽出した情報に含まれる番組名と共に記憶部２４に所定時間記憶する。ＣＰＵ２５は、記憶部２４に記憶された縮小映像が一覧表示された一覧映像を生成して記憶部２４に記憶する。ＣＰＵ２５は、操作受付部３０又は操作受信部３１が放送中の番組の一覧表示の指示を受け付けて出力する一覧表示割込信号を検出した場合、記憶部２４に記憶されている一覧映像を読み出して映像表示部１９に表示する。【選択図】図１
2009055349.tif 000002
【特許請求の範囲】
【請求項１】
複数チャンネルからなるテレビジョン信号を受信して指定されたチャンネルを選局する選局部と、前記複数チャンネルで放送される番組に係る番組情報を取得する番組情報取得手段と、前記番組の所定時間分の映像を夫々記憶する映像記憶手段と、前記映像の一覧表示の指示を受け付ける表示受付手段とを備え、該表示受付手段が一覧表示の指示を受け付けた場合、前記映像の夫々の表示サイズが縮小された縮小映像を一覧表示するテレビジョン受像機において、
時刻を出力する時計部と、
該時計部が出力する時刻と一致する開始時刻を有する番組に係る情報を前記番組情報から随時抽出する番組抽出手段と
を備え、
前記映像記憶手段は、前記番組抽出手段が抽出した前記情報に係る番組の映像を記憶するよう構成してあること
を特徴とするテレビジョン受像機。
【請求項２】
記憶された前記映像のうち、前記番組情報に含まれる放送中の番組に係る映像を抽出し、抽出した該映像の縮小映像からなる一覧映像を生成し記憶する生成手段
を備え、
前記生成手段は、前記映像記憶手段が前記情報に係る番組の映像を記憶する都度、一覧映像を生成して書き換えると共に、前記表示受付手段が一覧表示の指示を受け付けた場合、前記一覧映像を読み出して表示するよう構成してあること
を特徴とする請求項１に記載のテレビジョン受像機。
【請求項３】
前記映像記憶手段は、前記番組抽出手段が複数の番組に係る情報を抽出した場合、前記選局部に指定するチャンネルを前記情報に含まれる複数のチャンネルの夫々に順次切り替えて、切り替えたチャンネルで放送される番組の映像を記憶する順次記憶手段を備えることを特徴とする請求項１又は２に記載のテレビジョン受像機。
【請求項４】
前記選局部で選局されたチャンネルで放送される番組の映像が広告に係る映像であるか否かを判定する広告判定手段と、
該広告判定手段からの制御信号により、広告に係る映像であると判定されている期間に限って前記映像記憶手段による映像の記憶を中断させる記憶中断手段と
を備えることを特徴とする請求項１から３までのいずれか一項に記載のテレビジョン受像機。
【請求項５】
前記表示受付手段は、一覧表示の指示を受け付けた場合、割込信号を出力するよう構成してあり、
前記映像記憶手段は、映像の記憶中に前記割込信号を検出した場合、映像の記憶を停止すると共に前記記憶中断手段を無効にし、前記順次記憶手段により全チャンネルで放送される番組の所定時間分の映像を夫々記憶させるよう構成してあること
を特徴とする請求項１から４までのいずれか一項に記載のテレビジョン受像機。
【請求項６】
前記映像記憶手段は、前記映像を記憶する場合、前記時計部が出力する時刻を記憶開始時刻として、前記番組情報に含まれる前記映像に係る番組の番組名と共に関連付けて記憶するよう構成してあり、
前記番組抽出手段は、前記時計部が出力する時刻が前記記憶開始時刻から所定時間を経過しているか否かを判定し、経過していると判定した場合、前記記憶開始時刻に関連付けて記憶されている番組名を取得し、取得した該番組名と一致する番組名を有する放送中の番組に係る情報を前記番組情報から随時抽出するよう構成してあること
を特徴とする請求項１から５までのいずれか一項に記載のテレビジョン受像機。
【請求項７】
前記生成手段は、前記映像記憶手段が記憶した時刻が縮小映像と共に表示された一覧映像を生成するよう構成してあることを特徴とする請求項１から６までのいずれか一項に記載のテレビジョン受像機。
【請求項８】
前記一覧映像に表示された複数の縮小映像のうち、いずれか１つの指定を受け付ける指定受付手段を備え、
前記指定受付手段が指定を受け付けた場合、前記選局部が選局するチャンネルを、指定された縮小映像に係るチャンネルに切り替え、切り替えたチャンネルで放送される番組の映像を表示するよう構成してあること
を特徴とする請求項１から７までのいずれか一項に記載のテレビジョン受像機。
【発明の詳細な説明】
【技術分野】
【０００１】
本発明は、放送中の番組の縮小映像が一覧表示されるテレビジョン受像機に関する。
【背景技術】
【０００２】
近年、デジタルテレビジョン信号を用いたデジタルテレビジョン放送が、広く実用化されてきている。デジタルテレビジョン信号では、ＭＰＥＧ（Ｍｏｖｉｎｇ  Ｐｉｃｔｕｒｅ  Ｅｘｐｅｒｔｓ  Ｇｒｏｕｐ）−２規格のデジタル圧縮技術を利用することにより、１つの周波数に複数チャンネルを有することが可能であるため、多チャンネル化が進められている。デジタルテレビジョン信号には、各番組内容を示すＥＰＧ（Ｅｌｅｃｔｒｏｎｉｃ  Ｐｒｏｇｒａｍ  Ｇｕｉｄｅ）情報が含まれており、ＥＰＧ情報を取得して表示することにより視聴者によるチャンネルの選択を容易にするテレビジョン受像機が用いられている。テレビジョン受像機に表示されるＥＰＧ情報は、放送日、放送局名、放送時刻及び番組名等の文字情報のみで構成されている。
【０００３】
番組名は、テレビジョン受像機の表示領域の制限により番組名の一部または多くの部分が省略されて表示されることが多くあり、視聴者にとっては、実際の番組内容を把握することが困難である場合があった。そこで、複数チャンネルで放送されている番組に対して所定時間間隔で選局するチャンネルを切り替えながら、全チャンネルで放送される番組を自動受信して夫々の映像を所定時間記憶し、夫々の映像の表示サイズが縮小された縮小映像を生成して縮小映像の一覧をＥＰＧ情報と共に一画面に表示する情報記録再生装置が特許文献１に記載されている。視聴者は、全チャンネルで放送される番組の縮小映像の一覧から、夫々の番組内容を容易に把握することが可能である。
【０００４】
特許文献１に記載の情報記録再生装置は、選局するチャンネルを順次切り替えて全チャンネルで放送される番組の所定時間分の映像を夫々記憶する動作を、予め決められた一定時間間隔で実行する。情報記録再生装置は、ＥＰＧ情報の表示指示を受け付けた場合、ＥＰＧ情報に含まれる放送中の全番組名を取得する。次に、情報記録再生装置は、取得した全ての放送中の番組名に対応する映像を、記憶されている複数の映像から読み出して夫々の縮小映像の一覧をＥＰＧ情報と共に表示する。
【特許文献１】特開２００７−４９３９８号公報
【発明の開示】
【発明が解決しようとする課題】
【０００５】
しかしながら、特許文献１に記載の情報記録再生装置には、予め決められた一定時間間隔よりも短い放送時間を有する番組の映像が記憶されない事態が生じる。従って特許文献１に記載の情報記録再生装置は、放送中の番組のうち、映像が記憶されていない番組が生じている状態でＥＰＧ情報の表示指示を受け付けた場合、ＥＰＧ情報と共に表示される縮小映像の一覧の一部に縮小映像が表示されず、番組名のみが表示されるという問題があった。特許文献１に記載の映像を記憶する動作を、放送中の番組の一覧表示の指示を受け付けて放送中の番組の縮小映像を一覧表示するテレビジョン受像機に用いた場合にも、同様な問題が生じる。
【０００６】
本発明は斯かる事情に鑑みてなされたものであり、時計部が出力する時刻と一致する開始時刻を有する番組の映像を記憶する映像記憶手段を備えることにより、全ての放送中の番組の映像が記憶され、放送中の番組の一覧表示の指示を受け付けた場合、全ての放送中の番組の縮小映像が一覧表示されるテレビジョン受像機を提供することを目的とする。
【課題を解決するための手段】
【０００７】
本発明に係るテレビジョン受像機は、複数チャンネルからなるテレビジョン信号を受信して指定されたチャンネルを選局する選局部と、前記複数チャンネルで放送される番組に係る番組情報を取得する番組情報取得手段と、前記番組の所定時間分の映像を夫々記憶する映像記憶手段と、前記映像の一覧表示の指示を受け付ける表示受付手段とを備え、該表示受付手段が一覧表示の指示を受け付けた場合、前記映像の夫々の表示サイズが縮小された縮小映像を一覧表示するテレビジョン受像機において、時刻を出力する時計部と、該時計部が出力する時刻と一致する開始時刻を有する番組に係る情報を前記番組情報から随時抽出する番組抽出手段とを備え、前記映像記憶手段は、前記番組抽出手段が抽出した前記情報に係る番組の映像を記憶するよう構成してあることを特徴とする。
【０００８】
本発明にあっては、時計部が出力する時刻と一致する開始時刻を有する番組に係る情報が、番組情報から随時抽出される。映像記憶手段は、抽出された番組情報に係る番組、すなわち放送が開始された番組の所定時間分の映像を記憶する。放送中の番組の映像の一覧表示の指示を受け付けた場合に、記憶されている映像の縮小映像が一覧表示される。
【０００９】
本発明に係るテレビジョン受像機は、記憶された前記映像のうち、前記番組情報に含まれる放送中の番組に係る映像を抽出し、抽出した該映像の縮小映像からなる一覧映像を生成し記憶する生成手段を備え、前記生成手段は、前記映像記憶手段が前記情報に係る番組の映像を記憶する都度、一覧映像を生成して書き換えると共に、前記表示受付手段が一覧表示の指示を受け付けた場合、前記一覧映像を読み出して表示するよう構成してあることを特徴とする。
【００１０】
本発明にあっては、映像記憶手段が映像を記憶する都度、記憶されている映像のうち、放送中の番組に係る映像が抽出されて、夫々の縮小映像が一画面に一覧表示された一覧映像が生成され記憶される。また、既に記憶されている一覧映像がある場合は、新たに生成された一覧映像に書き換えられる。放送中の番組の一覧表示の指示を受け付けた場合、記憶されている一覧映像が読み出されて表示される。
【００１１】
本発明に係るテレビジョン受像機は、前記映像記憶手段は、前記番組抽出手段が複数の番組に係る情報を抽出した場合、前記選局部に指定するチャンネルを前記情報に含まれる複数のチャンネルの夫々に順次切り替えて、切り替えたチャンネルで放送される番組の映像を記憶する順次記憶手段を備えることを特徴とする。
【００１２】
本発明にあっては、時計部が出力する時刻と一致する番組が複数ある場合、順次記憶手段により選局部に指定されるチャンネルが複数の番組に係る夫々のチャンネルに順次切り替えられて夫々の番組の映像が記憶される。
【００１３】
本発明に係るテレビジョン受像機は、前記選局部で選局されたチャンネルで放送される番組の映像が広告に係る映像であるか否かを判定する広告判定手段と、該広告判定手段からの制御信号により、広告に係る映像であると判定されている期間に限って前記映像記憶手段による映像の記憶を中断させる記憶中断手段とを備えることを特徴とする。
【００１４】
本発明にあっては、選局部で選局されたチャンネルで広告が放送されている期間、選局されたチャンネルで放送される映像の記憶が中断される。広告の放送が終了した場合、映像の記憶が再開される。
【００１５】
本発明に係るテレビジョン受像機は、前記表示受付手段は、一覧表示の指示を受け付けた場合、割込信号を出力するよう構成してあり、前記映像記憶手段は、映像の記憶中に前記割込信号を検出した場合、映像の記憶を停止すると共に前記記憶中断手段を無効にし、前記順次記憶手段により全チャンネルで放送される番組の所定時間分の映像を夫々記憶させるよう構成してあることを特徴とする。
【００１６】
本発明にあっては、表示受付手段が一覧表示の指示を受け付けた場合、映像記憶手段に対して割込信号が表示受付手段から出力される。映像記憶手段は、番組の映像を記憶中に割込信号を検出した場合、映像の記憶を停止すると共に記憶中断手段を無効にする。順次記憶手段は、選局部が選局するチャンネルを全チャンネルに順次切り替えて、全チャンネルで放送される番組又は広告の映像を、夫々所定時間分記憶する。
【００１７】
本発明に係るテレビジョン受像機は、前記映像記憶手段は、前記映像を記憶する場合、前記時計部が出力する時刻を記憶開始時刻として、前記番組情報に含まれる前記映像に係る番組の番組名と共に関連付けて記憶するよう構成してあり、前記番組抽出手段は、前記時計部が出力する時刻が前記記憶開始時刻から所定時間を経過しているか否かを判定し、経過していると判定した場合、前記記憶開始時刻に関連付けて記憶されている番組名を取得し、取得した該番組名と一致する番組名を有する放送中の番組に係る情報を前記番組情報から随時抽出するよう構成してあることを特徴とする。
【００１８】
本発明にあっては、映像記憶手段が映像を記憶する場合、記憶開始時刻及び番組名が映像に関連付けられて記憶される。番組抽出手段は、記憶されている記憶開始時刻から時計部が出力する時刻までの間に、所定時間が経過しているか否かを判定し、経過していると判定した場合、記憶開始時刻に関連付けられて記憶されている番組名を読み出し、読み出した番組名と一致する番組に係る情報を番組情報に含まれる放送中の番組に係る情報から抽出する。映像記憶手段は、番組抽出手段が抽出した情報に含まれるチャンネルで放送される映像で既に記憶されている同一番組名に係る映像を書き換えて、記憶されている番組の映像を更新する。
【００１９】
本発明に係るテレビジョン受像機は、前記生成手段は、前記映像記憶手段が記憶した時刻が縮小映像と共に表示された一覧映像を生成するよう構成してあることを特徴とする。
【００２０】
本発明にあっては、縮小映像と共に夫々の記憶開始時刻が一覧映像に表示される。
【００２１】
本発明に係るテレビジョン受像機は、前記一覧映像に表示された複数の縮小映像のうち、いずれか１つの指定を受け付ける指定受付手段を備え、前記指定受付手段が指定を受け付けた場合、前記選局部が選局するチャンネルを、指定された縮小映像に係るチャンネルに切り替え、切り替えたチャンネルで放送される番組の映像を表示するよう構成してあることを特徴とする。
【００２２】
本発明にあっては、一覧映像に表示された複数の縮小映像のうち、１つの指定を受け付けて、選局部が選局するチャンネルを指定された縮小映像に係るチャンネルに切り替え、切り替えたチャンネルで放送される番組の映像を表示する。
【発明の効果】
【００２３】
本発明にあっては、時計部が出力する時刻と一致する開始時刻を有する番組の映像を記憶する映像記憶手段を備えることにより、放送中の番組の映像を一覧表示する指示を受け付けた場合、全ての放送中の番組の縮小映像を一覧表示することが可能となる等、優れた効果を奏する。
【発明を実施するための最良の形態】
【００２４】
実施の形態１
以下、本発明をその実施の形態を示す図面を参照して具体的に説明する。図１は、実施の形態１に係るテレビジョン受像機の構成を示すブロック図である。図中１は、テレビジョン受像機を示しており、テレビジョン信号を受信する外部に設けられたアンテナ２と接続され、番組が放送されるテレビジョン信号の受信機能、番組の映像を所定時間記憶する機能及び記憶された映像の縮小映像を一覧表示する機能を備えており、遠隔操作装置３との間で赤外線を利用したＩｒＤＡ（Ｉｎｆｒａｒｅｄ  Ｄａｔａ  Ａｓｓｏｃｉａｔｉｏｎ）規格に従う無線通信が可能に構成され、遠隔操作装置３によって遠隔から操作することができる。
【００２５】
尚、テレビジョン受像機１と遠隔操作装置３とを、赤外線を利用した無線通信だけでなく、例えば、ＩＥＥＥ８０２．１規格に準拠した無線ＬＡＮ及びＢｌｕｅｔｏｏｔｈ（登録商標）規格に準拠した無線通信等を介して接続しても良い。テレビジョン受像機１は、選局部１１、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調部１２、分離部１３、音声復調部１４、音声出力部１５、映像復調部１６、フレームメモリ１７、映像処理部１８、映像表示部１９、暗号解除部２０、ＥＰＧ復調部（番組情報取得手段）２１、映像圧縮部２２、ＯＳＤ（Ｏｎ  Ｓｃｒｅｅｎ  Ｄｉｓｐｌａｙ）部２３及び記憶部２４を備える。
【００２６】
また、テレビジョン受像機１は、ＣＰＵ２５、ＲＯＭ２６、ＲＡＭ２７、ＣＬＯＣＫ２８（時計部）、タイマ２９、操作受付部３０、操作受信部３１及びバス３２を備える。ＣＰＵ２５は、バス３２を介して選局部１１、暗号解除部２０、ＥＰＧ復調部２１、ＯＳＤ部２３、記憶部２４、ＲＯＭ２６、ＲＡＭ２７、ＣＬＯＣＫ２８、タイマ２９、操作受付部３０及び操作受信部３１と接続されている。ＲＯＭ２６は、テレビジョン受像機１を動作させるために必要な種々の制御プログラム等を予め記憶している。ＣＰＵ２５は、ＲＯＭ２６に記憶されている制御プログラムをＲＡＭ２７に読み出して実行する。
【００２７】
ＣＰＵ２５は、制御プログラムに従ってＣＬＯＣＫ２８及びＥＰＧ復調部２１が夫々出力する時刻及びＥＰＧ情報を基に選局部１１及び記憶部２４を制御することにより、記憶部２４と共に映像記憶手段として機能する。タイマ２９は、ＣＰＵ２５からの指示により、タイマ値の設定及びタイマ値のカウントダウンの開始が可能となるよう構成されており、タイマ値が０となるカウントダウンの終了を示すタイマ信号をバス３２に出力してＣＰＵ２５に与える。ＲＡＭ２７は、スクランブル放送に係る暗号鍵の記憶、ＥＰＧ情報の記憶及びＣＰＵ２５による制御プログラムの実行時に発生するフラグ等のデータの一時的な記憶を行う。
【００２８】
選局部１１は、デジタルテレビジョン放送の受信用チューナであり、視聴者が視聴する番組が放送されるチャンネルである視聴チャンネル及び記憶部２４に記憶される番組が放送されるチャンネルである記憶チャンネルを同時に受信して、夫々独立して選局することが可能となるよう図示しない２系統の受信回路で構成されており、放送中継基地（図示せず）の方向に向けて配置されたアンテナ２と接続されている。また、分離部１３、映像復調部１６及びフレームメモリ１７においても、視聴チャンネル及び記憶チャンネルに係る映像を夫々独立して処理すべく、図示しない２系統の回路で構成されている。操作受付部３０は、備えられた図示しない各キーの操作を受け付けた場合、各キーに対応する識別信号をバス３２に出力してＣＰＵ２５に与える。
【００２９】
また、操作受信部３１は、遠隔操作装置３が受け付けた図示しない各キーの操作に対応する識別信号を遠隔操作装置３から受信し、バス３２に出力してＣＰＵ２５に与える。ＣＰＵ２５は、バス３２を介して与えられた識別信号を取得して、操作受付部３０又は操作受信部３１が受け付けた視聴者による操作に応じた処理を実行する。ＣＰＵ２５は、バス３２を介して選局部１１に視聴チャンネル及び記憶チャンネルを夫々指定して選局させるよう構成されている。選局部１１は、アンテナ２が受信したデジタルテレビジョン放送から、視聴チャンネル及び記憶チャンネルに対応付けられた帯域に存在するＯＦＤＭ信号を夫々抽出してレベル調整後、ＯＦＤＭ復調部１２へ与える。
【００３０】
ＯＦＤＭ復調部１２は、デジタル変調されたＯＦＤＭ信号の復調を行い、誤り訂正処理等を実行し、デジタルテレビジョン放送である地上デジタル放送において情報の伝達に用いられているＭＰＥＧ−２規格で符号化されたＴＳ（Ｔｒａｎｓｐｏｒｔ  Ｓｔｒｅａｍ）信号を得て、分離部１３へ与える。選局部１１に指定された視聴チャンネル及び記憶チャンネルが、視聴契約が必要な有料チャンネルである場合、ＣＰＵ２５は、ＲＡＭ２７に記憶されている視聴契約情報を読み出して暗号解除部２０に与える。視聴契約が結ばれている場合のみ、暗号解除部２０により、視聴契約を必要とする有料チャンネルにおいて暗号化されているＴＳ信号が正常に暗号解除される。
【００３１】
ＴＳ信号は、放送中の番組に係る音声、映像及び定期的に送信されるＥＰＧ情報が、夫々圧縮・多重化されたストリームを含んでおり、分離部１３は、与えられたＴＳ信号から音声信号、映像信号及びＥＰＧ情報を分離して、夫々を音声復調部１４、映像復調部１６及びＥＰＧ復調部２１に与える。音声復調部１４は、分離部１３から与えられた音声信号に係るストリームを復調して得た音声信号を音声出力部１５に与える。音声出力部１５は、与えられた音声信号にアナログ信号変換及び増幅等を施し図示しないスピーカから音声を出力する。ＥＰＧ復調部２１は、与えられたＥＰＧ情報に係るストリームを復調して得たＥＰＧ情報をバス３２に出力してＣＰＵ２５に与える。
【００３２】
ＣＰＵ２５は、バス３２を介して取得したＥＰＧ情報をＲＡＭ２７に出力し、記憶させる。映像復調部１６は、与えられた映像信号に係るストリームを復調して得た映像信号をフレームメモリ１７に与える。フレームメモリ１７は、与えられた映像信号の１フレームを格納し、１フレームの映像信号を映像圧縮部２２及び映像処理部１８に与える。映像圧縮部２２は、フレームメモリ１７から順次与えられる１フレームの映像信号に対するダウンサンプリング処理と、順次与えられる複数フレーム間に対するフレームの間引き処理と、１フレームの映像信号の画面サイズを小さくして縮小画像を生成するスケーリング処理等を施した後、さらにＭＰＥＧ等の映像規格に変換することでデータ圧縮を施し、複数のフレームの縮小画像からなる縮小映像を記憶部２４に出力する。
【００３３】
記憶部２４は、ＣＰＵ２５からの指示に基づいて、映像圧縮部２２から与えられる縮小映像を記憶する。記憶部２４は、読書きのアクセス速度の高速化及び記憶情報の効率的な管理が図れるフラッシュメモリ等が使用されることが望ましいが、ハードディスクドライブ（ＨＤＤ）等のディスクを利用したディスク記憶媒体を使用しても構わない。映像処理部１８は、フレームメモリ１７から順次与えられる１フレームの映像信号を映像表示部１９に正常に表示すべく、映像の伸縮調整を行うスケーリング処理、並びに白ピーク補正及び輪郭補正等の映像処理を施して映像表示部１９に出力する。
【００３４】
映像表示部１９は、図示しない液晶ディスプレイ等で構成され、与えられた映像信号を表示する。ＣＰＵ２５は、ＲＡＭ２７に記憶されているＥＰＧ情報を、テレビジョン信号により定期的に送信されるＥＰＧ情報に書き換えて、ＲＡＭ２７に最新のＥＰＧ情報を記憶させる。ＣＰＵ２５は、ＲＡＭ２７に記憶されているＥＰＧ情報に基づいて、選局部１１で選局するチャンネルを切り替えて放送中の番組の縮小映像を記憶部２４に記憶する映像記憶処理を実行することで、全チャンネルで放送される番組の縮小映像を記憶部２４に記憶させる。
【００３５】
選局部１１は、視聴者の視聴状態に関わらず、ＣＰＵ２５により指定された記憶チャンネルを選局し、ＣＰＵ２５は、映像記憶処理及び一覧映像生成処理を行って放送中の番組の夫々の映像の縮小映像からなる一覧映像を生成し、記憶部２４に記憶することで、映像記憶手段及び生成手段として機能する。記憶部２４から読み出された一覧映像は、ＯＳＤ部２３に与えられ、映像処理部１８が出力する視聴チャンネルに係る映像に重畳されて映像表示部１９に表示される。
【００３６】
図２は、実施の形態１に係る映像記憶を説明するための番組表の例を示す模式図である。図２の横軸は、時刻を示しており、上から下に向かって順にチャンネル１、２及び５で放送される番組を示す。図２に示すチャンネル１で放送される番組には終了時刻１８時００分及び番組名「ドラマＡ」を有する番組１１と、開始時刻１８時００分及び番組名「ニュースＡ」を有する番組１２と、開始時刻１９時００分及び番組名「バラエティＡ」を有する番組１３とが含まれている。チャンネル２で放送される番組には、終了時刻１８時３０分及び番組名「スポーツ中継Ａ」を有する番組２１と、開始時刻１８時３０分及び番組名「バラエティＢ」を有する番組２２とが含まれている。
【００３７】
チャンネル５で放送される番組には、終了時刻１９時００分及び番組名「スポーツ中継Ｂ」を有する番組５１と、開始時刻１９時００分及び番組名「ニュースＢ」を有する番組５２とが含まれている。また、図中斜線部１２ａ、１３ａ、２２ａ及び５２ａは、夫々番組１２、１３、２２及び５２の縮小映像が映像記憶処理により記憶される時間範囲を示す。ＣＰＵ２５は、ＣＬＯＣＫ２８が出力する時刻を取得し、取得した時刻と一致する開始時刻を有する開始番組に係る情報をＲＡＭ２７に記憶されているＥＰＧ情報から抽出する。
【００３８】
ＣＰＵ２５は、抽出した情報に含まれるチャンネルを選局部１１の記憶チャンネルに指定する。ＣＰＵ２５は、縮小映像の記憶開始時刻としてＣＬＯＣＫ２８から時刻を取得する。ＣＰＵ２５は、記憶する縮小映像の長さ、すなわち記憶時間を標準の記憶時間であるｔ０（例えば、１５秒）とし、縮小映像をＥＰＧ情報から抽出した番組に係る情報に含まれる番組名及びＣＬＯＣＫ２８から取得した記憶開始時刻と関連付けて記憶部２４に記憶する。ＥＰＧ情報から抽出した情報に係る番組が１つの場合、後記する単一記憶処理により縮小映像を記憶した後に、後記する一覧映像生成処理が実行される。
【００３９】
図２の例において、ＣＰＵ２５は、ＣＬＯＣＫ２８から取得した時刻が１８時００分である場合、１８時００分と一致する開始時刻を有する番組１２に係る情報をＲＡＭ２７に記憶されているＥＰＧ情報から抽出する。次に、ＣＰＵ２５は、抽出した情報に含まれるチャンネル１を選局部１１の記憶チャンネルに指定する。ＣＰＵ２５は、記憶開始時刻としてＣＬＯＣＫ２８から時刻を取得し、記憶時間ｔ０を有する時間範囲１２ａにおける番組１２の縮小映像を、番組名「ニュースＡ」及び取得した記憶開始時刻と関連付けて記憶部２４に記憶する。同様に、ＣＰＵ２５は、取得した時刻が１８時３０分の場合、１８時３０分と一致する開始時刻を有する番組２２に係る情報をＲＡＭ２７に記憶されているＥＰＧ情報から抽出する。
【００４０】
ＣＰＵ２５は、抽出した情報に含まれるチャンネル２を選局部１１の記憶チャンネルに指定する。ＣＰＵ２５は、記憶開始時刻としてＣＬＯＣＫ２８から時刻を取得し、記憶時間ｔ０を有する時間範囲２２ａにおける番組２２の縮小映像を、番組名「バラエティＢ」及び記憶開始時刻と関連付けて記憶部２４に記憶する。ＣＰＵ２５は、開始時刻が同一である複数の番組に係る情報を抽出した場合、抽出した情報に含まれる夫々のチャンネル番号の小さいものから大きいものへの順に順番を決定し、記憶時間を標準の記憶時間ｔ０よりも短縮された記憶時間ｔ１（例えば５秒）とし、決定した順番に従って選局部１１に指定する記憶チャンネルを順次切り替えて、夫々のチャンネルで放送される番組の縮小映像を夫々の番組名及び記憶開始時刻と関連付けて記憶部２４に記憶する。
【００４１】
図２に示す例において、ＣＰＵ２５が取得した時刻が１９時００分である場合、ＣＰＵ２５は、ＥＰＧ情報から番組１３及び５２に係る情報を抽出する。ＣＰＵ２５は、抽出した情報に含まれる夫々の番組が放送されるチャンネル１及び５を切り替える順番をチャンネル１及び５と決定する。ＣＰＵ２５は、決定した順番に従い、選局部１１に指定する記憶チャンネルをチャンネル１に切り替える。ＣＰＵ２５は、記憶開始時刻としてＣＬＯＣＫ２８から時刻を取得し、記憶時間ｔ１を有する時間範囲１３ａにおける番組１３の縮小映像を番組名「バラエティＡ」及び記憶開始時刻と関連付けて記憶部２４に記憶する。
【００４２】
次に、選局部１１に指定する記憶チャンネルをチャンネル５に切り替える。ＣＰＵ２５は、同様に記憶開始時刻としてＣＬＯＣＫ２８から時刻を取得し、記憶時間ｔ１を有する時間範囲５２ａにおける番組５２の縮小映像を番組名「ニュースＢ」及び記憶開始時刻と関連付けて記憶部２４に記憶する。ＣＰＵ２５は、複数の番組に係る情報を抽出した場合、抽出した情報に含まれる複数のチャンネルで放送される番組の縮小映像の記憶時間を標準の記憶時間ｔ０から記憶時間ｔ１へ短縮することにより、全チャンネルで放送される番組の縮小映像を記憶するために必要な時間を短縮する。
【００４３】
図３は、一覧映像が表示された画面の例を示す模式図である。ＣＰＵ２５は、１つの番組に係る情報を抽出した場合、映像記憶処理により記憶部２４に抽出した番組の縮小映像を記憶させた後に、一覧映像生成処理を実行する。一方、ＣＰＵ２５は、映像記憶処理により複数の番組に係る情報を抽出した場合、抽出した全ての複数の番組の縮小映像を記憶部２４に記憶させた後に、一覧映像生成処理を行う。次に、一覧映像生成処理について説明する。ＣＰＵ２５は、ＲＡＭ２７に記憶されているＥＰＧ情報に含まれる夫々の番組の開始時刻及び終了時刻と、ＣＬＯＣＫ２８から取得した時刻とを比較して、放送中の番組名の一覧を取得する。放送中の番組名の一覧に含まれる番組名と関連付けて記憶された縮小映像を記憶部２４から読み出す。
【００４４】
夫々の縮小映像の記憶時間、換言すれば夫々の縮小映像を構成するフレーム画像群のフレーム数のうち、最大のフレーム数を一覧映像生成処理で生成すべき一覧映像のフレーム数に設定する。一覧映像のフレーム数よりも少ないフレーム数を有する縮小映像は、縮小映像をループ再生して一覧映像のフレーム数と一致するようフレーム画像が追加される。夫々の縮小映像から、１つのフレーム画像を読み出し合成することで、夫々の縮小画像が一画面に並んで表示された１フレームの一覧画像を生成する。一覧画像の生成は、夫々の縮小映像の全フレーム画像に対応して実行される。ＣＰＵ２５は、得られた複数の一覧画像をフレーム順に連結して１つの映像として一覧映像を生成し、記憶部２４に記憶する。図３に示す例では、６つのチャンネル１、２、５、７、１０及び１３で放送された番組の夫々の縮小映像が番組名、チャンネル及び記憶開始時刻と共に一画面に一覧表示されている。
【００４５】
また、テレビジョン受像機１は、一覧表示された縮小映像のうち、操作受付部３０又は遠隔操作装置３により１つの縮小映像の指定を受け付けるように構成されており、図３に示す例では、番組名「ニュースＡ」、チャンネル番号１及び記憶開始時刻１８：００と共に表示され、周縁が強調表示された縮小映像が指定されている。一覧映像から指定される縮小映像の変更は、操作受付部３０又は遠隔操作装置３に備えられたカーソルキー等（図示せず）により行われるよう構成されている。ＣＰＵ２５は、縮小映像が指定された状態で操作受付部３０又は遠隔操作装置３に備えられた「決定」キー等（図示せず）の押下操作に係る識別信号をバス３２を介して検出することにより、選局部１１の視聴チャンネルを指定された縮小映像に係るチャンネルに切り替え、切り替えたチャンネルで放送されている番組の映像を映像表示部１９に表示する。
【００４６】
図４及び図５は、映像記憶処理の手順を示すフローチャートである。ＣＰＵ２５は、ＲＡＭ２７に記憶されている一覧表示フラグをリセットする（ステップＳ１１）。ＣＰＵ２５は、ＲＡＭ２７に記憶されているＥＰＧ情報からＣＬＯＣＫ２８が出力する時刻と一致する開始時刻を有する開始番組に係る情報を抽出する後記する番組抽出処理（番組抽出手段）を実行する（ステップＳ１２）。ＣＰＵ２５は、番組抽出処理において複数の番組に係る情報を抽出したか否かを判定する（ステップＳ１３）。ＣＰＵ２５は、複数の番組に係る情報を抽出したと判定した場合（ステップＳ１３でＹＥＳ）、複数の番組の夫々の縮小映像を順次記憶する後記する順次記憶処理（順次記憶手段）を実行する（ステップＳ１４）。ＣＰＵ２５は、複数の番組に係る情報を抽出していないと判定した場合（ステップＳ１３でＮＯ）、すなわち単一の番組に係る情報を抽出したと判定した場合、単一の番組の縮小映像を記憶する後記する単一記憶処理を実行する（ステップＳ１５）。
【００４７】
ＣＰＵ２５は、順次記憶処理（ステップＳ１４）又は単一記憶処理（ステップＳ１５）を実行した後に、ＲＡＭ２７に記憶されているＥＰＧ情報から放送中の番組の番組名を抽出する（ステップＳ１６）。ＣＰＵ２５は、記憶部２４に記憶されている縮小映像に夫々関連付けて記憶されている番組名のうち、放送中の番組の番組名と異なる番組名を抽出する（ステップＳ１７）。ＣＰＵ２５は、放送中の番組の番組名と異なる番組名が関連付けられて記憶されている縮小映像を、番組名、チャンネル及び記憶開始時刻と共に記憶部２４から削除する（ステップＳ１８）。
【００４８】
ＣＰＵ２５は、記憶部２４に記憶されている縮小映像を読み出し、夫々の縮小映像が番組名、チャンネル及び記憶開始時刻と共に一画面に一覧表示された一覧映像を生成する一覧映像生成処理を実行する（ステップＳ１９）。ＣＰＵ２５は、ＲＡＭ２７に記憶されている一覧表示フラグがセットされているか否かを判定する（ステップＳ２０）。ＣＰＵ２５は、一覧表示フラグがセットされていると判定した場合（ステップＳ２０でＹＥＳ）、ステップ１９における一覧映像生成処理により記憶部２４に記憶された一覧映像を読み出し、ＯＳＤ部２３を介して映像表示部１９に表示されている視聴番組に係る映像に重畳させて一覧映像の表示を開始する（ステップＳ２２）。
【００４９】
ＣＰＵ２５は、操作受付部３０又は遠隔操作装置３が一覧映像に表示されている縮小映像の１つを指定する操作を受け付けたか否かを判定する（ステップＳ２３）。ＣＰＵ２５は、受け付けていないと判定した場合（ステップＳ２３でＮＯ）、番組の１つを指定する操作を受け付けたか否かを判定するステップＳ２３に処理を戻す。ＣＰＵ２５は、受け付けたと判定した場合（ステップＳ２３でＹＥＳ）、指定された縮小映像に関連付けて記憶部２４に記憶されているチャンネルを読み出して選局部１１の視聴チャンネルに指定する（ステップＳ２４）。ＣＰＵ２５は、一覧映像の表示を停止し（ステップＳ２５）、映像表示部１９には選局部１１の視聴チャンネルで選局されたチャンネルで放送される番組の映像が表示される。
【００５０】
ＣＰＵ２５は、一覧表示フラグのリセットを行うステップＳ１１に処理を戻す。ＣＰＵ２５は、一覧表示フラグがセットされているか否かを判定するステップＳ２０において、セットされていないと判定した場合（ステップＳ２０でＮＯ）、図示しない電源スイッチを切断することによりＣＰＵ２５に送られる電源割込信号を検出したか否かを判定する（ステップＳ２１）。ＣＰＵ２５は、電源割込信号を検出していないと判定した場合（ステップＳ２１でＮＯ）、一覧表示フラグのリセットを行うステップＳ１１に処理を戻す。ＣＰＵ２５は、電源割込信号を検出したと判定した場合（ステップＳ２１でＹＥＳ）、映像記憶処理を終了する。
【００５１】
図６は、実施の形態１に係る割込処理の手順を示すフローチャートである。ＣＰＵ２５は、前記の映像記憶処理を実行している状態で、操作受付部３０又は操作受信部３１が一覧表示の指示を受け付けてバス３２に出力する一覧表示割込信号を検出した場合、映像記憶処理を中断して割込処理を実行し、割込処理の終了後に中断した映像記憶処理を再開するよう構成されている。ＣＰＵ２５は、ＲＡＭ２７に記憶されている一覧表示フラグをセットし（ステップ３０）、割込処理を終了する。
【００５２】
図７は、実施の形態１に係る番組抽出処理の手順を示すフローチャートである。ＣＰＵ２５は、ＲＡＭ２７に記憶されているＥＰＧ情報を読み出して取得する（ステップＳ３１）。ＣＰＵ２５は、ＣＬＯＣＫ２８が出力する時刻を取得する（ステップＳ３２）。ＣＰＵ２５は、ＣＬＯＣＫ２８から取得した時刻と一致する開始時刻を有する開始番組をＲＡＭ２７に記憶されているＥＰＧ情報から検索する（ステップＳ３３）。ＣＰＵ２５は、検索の結果、開始番組があるか否かを判定する（ステップＳ３４）。ＣＰＵ２５は、開始番組がないと判定した場合（ステップＳ３４でＮＯ）、ＥＰＧ情報を取得するステップＳ３１に処理を戻す。ＣＰＵ２５は、開始番組があると判定した場合（ステップＳ３４でＹＥＳ）、開始番組が放送されるチャンネル及び開始番組の番組名からなる開始番組に係る情報をＲＡＭ２７に記憶されているＥＰＧ情報から抽出し（ステップＳ３５）、番組抽出処理を終了する。
【００５３】
図８は、実施の形態１に係る単一記憶処理の手順を示すフローチャートである。ＣＰＵ２５は、前記の番組抽出処理で抽出した開始番組に係る情報に含まれる単一のチャンネルを選局部１１の記憶チャンネルに指定する（ステップＳ４１）。ＣＰＵ２５は、タイマ２９のタイマ時間に記憶時間ｔ０を設定する（ステップＳ４２）。ＣＰＵ２５は、ＣＬＯＣＫ２８が出力する時刻を記憶開始時刻として取得する（ステップＳ４３）。ＣＰＵ２５は、番組名及び記憶開始時刻と関連付けて記憶部２４に縮小映像の記憶を開始させる（ステップＳ４４）。ＣＰＵ２５は、タイマ２９にカウントダウンを開始させる（ステップＳ４５）。
【００５４】
ＣＰＵ２５は、カウントダウン終了と共にタイマ２９から出力されるタイマ信号を検出したか否かを判定する（ステップＳ４６）。ＣＰＵ２５は、タイマ信号を検出していないと判定した場合（ステップＳ４６でＮＯ）、タイマ信号を検出したか否かを判定するステップＳ４６に処理を戻す。ＣＰＵ２５は、タイマ信号を検出したと判定した場合（ステップＳ４６でＹＥＳ）、記憶部２４に縮小映像の記憶を停止させて（ステップＳ４７）単一記憶処理を終了する。
【００５５】
図９は、実施の形態１に係る順次記憶処理の手順を示すフローチャートである。ＣＰＵ２５は、前記の番組抽出処理で抽出した開始番組に係る情報に含まれる複数のチャンネルを、チャンネル番号が小さいものから大きいものへと並べて、最初のチャンネルを選局部１１の記憶チャンネルに指定する（ステップＳ５１）。ＣＰＵ２５は、タイマ２９のタイマ時間に記憶時間ｔ１を設定する（ステップＳ５２）。ＣＰＵ２５は、ＣＬＯＣＫ２８が出力する時刻を記憶開始時刻として取得する（ステップＳ５３）。ＣＰＵ２５は、番組名及び記憶開始時刻と関連付けて記憶部２４に縮小映像の記憶を開始させる（ステップＳ５４）。ＣＰＵ２５は、タイマ２９にカウントダウンを開始させる（ステップＳ５５）。
【００５６】
ＣＰＵ２５は、カウントダウン終了と共にタイマ２９から出力されるタイマ信号を検出したか否かを判定する（ステップＳ５６）。ＣＰＵ２５は、タイマ信号を検出していないと判定した場合（ステップＳ５６でＮＯ）、タイマ信号を検出したか否かを判定するステップＳ５６に処理を戻す。ＣＰＵ２５は、タイマ信号を検出したと判定した場合（ステップＳ５６でＹＥＳ）、記憶部２４に縮小映像の記憶を停止させる（ステップＳ５７）。ＣＰＵ２５は、選局部１１の記憶チャンネルに決定された順番において最後のチャンネルが指定されているか否かを判定する（ステップＳ５８）。
【００５７】
ＣＰＵ２５は、最後のチャンネルが指定されていないと判定した場合（ステップＳ５８でＮＯ）、選局部１１の記憶チャンネルに次の順番のチャンネルを指定して切り替える（ステップＳ５９）。ＣＰＵ２５は、タイマ２９のタイマ時間に記憶時間ｔ１を設定するステップＳ５２に処理を戻す。ＣＰＵ２５は、選局部１１の記憶チャンネルに最後のチャンネルが指定されているか否かを判定するステップＳ５８において、最後のチャンネルが指定されていると判定した場合（ステップＳ５８でＹＥＳ）、順次記憶処理を終了する。
【００５８】
図１０は、一覧映像生成処理の手順を示すフローチャートである。ＣＰＵ２５は、記憶部２４に一覧映像が記憶されているか否かを判定する（ステップＳ６１）。ＣＰＵ２５は、一覧映像が記憶されていないと判定した場合（ステップＳ６１でＮＯ）、記憶されている縮小映像の夫々の記憶時間、すなわちフレーム数が一致しているか否かを判定する（ステップＳ６３）。ＣＰＵ２５は、一覧映像が記憶されていると判定した場合（ステップＳ６１でＹＥＳ）、記憶されている一覧映像を記憶部２４から削除して（ステップＳ６２）フレーム数が一致するか否かを判定するステップＳ６３に処理を移す。ＣＰＵ２５は、フレーム数が一致していると判定した場合（ステップＳ６３でＹＥＳ）、夫々の縮小映像を構成するフレーム画像群から最初のフレーム画像を抽出する（ステップＳ６５）。
【００５９】
ＣＰＵ２５は、フレーム数が一致していないと判定した場合（ステップＳ６３でＮＯ）、記憶されている縮小映像のフレーム数のうち、最大のフレーム数よりも少ないフレーム数を有する縮小映像をループ再生することによりフレーム画像を追加し（ステップＳ６４）、最初のフレーム画像を抽出するステップＳ６５に処理を移す。ＣＰＵ２５は、夫々の縮小映像から抽出したフレーム画像を合成して一画面に並べて表示された一覧画像を生成する（ステップＳ６６）。ＣＰＵ２５は、生成中の一覧映像がＲＡＭ２７に記憶されているか否かを判定する（ステップＳ６７）。ＣＰＵ２５は、記憶されていないと判定した場合（ステップＳ６７でＮＯ）、一覧画像を生成中の一覧映像の最初のフレーム画像として記憶し（ステップＳ６９）。縮小映像を構成するフレーム画像群の最後のフレーム画像を抽出したか否かを判定する（ステップＳ７０）。
【００６０】
ＣＰＵ２５は、記憶されていると判定した場合（ステップＳ６７でＹＥＳ）、記憶されている生成中の一覧映像の最後のフレーム画像として生成した一覧画像を連結し（ステップＳ６８）、縮小映像から抽出したフレーム画像が最後のフレーム画像を抽出したか否かを判定するステップＳ７０に処理を移す。ＣＰＵ２５は、最後のフレーム画像を抽出していないと判定した場合（ステップＳ７０でＮＯ）、夫々の縮小画像を構成するフレーム画像群から次のフレーム画像を抽出し（ステップＳ７１）、一覧画像を生成するステップＳ６６に処理を戻す。ＣＰＵ２５は、最後のフレーム画像を抽出したと判定した場合（ステップＳ７０でＹＥＳ）、一覧映像生成処理を終了する。
【００６１】
実施の形態１において、開始番組の映像の縮小映像が記憶部２４に記憶される都度、一覧映像生成処理を実行する例を示した。しかし、これに限るものではなく、操作受付部３０又は遠隔操作装置３が出力する一覧表示割込信号を検出した場合、一覧映像生成処理を実行するようにしても良い。また、記憶部２４は、映像圧縮部２２から出力される縮小映像を記憶するように構成する例を示したが、これに限るものではなく、番組の映像を縮小せずに記憶するように記憶部２４及び映像圧縮部２２を構成すると共に、一覧映像生成処理において記憶部２４から読み出した映像の縮小映像を作成して一覧映像を生成するようにしても良い。順次記憶処理において、チャンネル番号が小さいものから大きいものへ順番を決定する例を示したが、この順番に限るものではなく、複数のチャンネルが選局部１１の記憶チャンネルに順次指定されれば良い。
【００６２】
実施の形態２
図１１は、実施の形態２に係るテレビジョン受像機の構成を示すブロック図である。図中４に示すテレビジョン受像機は、広告判定部４１を備えている。広告判定部４１は、選局部１１の記憶チャンネルで選局されたチャンネルで放送される番組の映像が、広告に係る映像であるか否かを判定し、広告に係る映像の場合、広告判定信号をバス３２に出力してＣＰＵ２５に与える。広告判定部４１は、映像の１シーンのカット割りの長さを取得し、広告に係る番組に固有のカット割りの長さを検出して判定する。また、広告判定部４１は、音声復調部１４の出力と接続して、広告番組に特徴的な音声信号、例えば通常番組におけるステレオ音声から広告番組におけるモノラル音声への切り替えを検出するようにしても良い。また、広告判定部４１は、判定精度を向上させるために映像のカット割りの長さの検出と広告番組に係る特徴的な音声の検出とを組み合わせても良い。
【００６３】
図１２は、実施の形態２に係る映像記憶を説明するための番組表の例を示す模式図である。図１２に示すチャンネル１で放送される番組には、終了時刻７時００分００秒及び番組名「バラエティＣ」を有する番組１４と、開始時刻７時００分００秒及び番組名「ニュースＣ」を有する番組１５とが含まれており、番組１５の開始直後に、放送時間３０秒を有する広告に係る映像ＣＭ１が挿入されている。また、図中斜線部１５ａは、番組１５の縮小映像が映像記憶処理により記憶される時間範囲を示す。
【００６４】
図１２に示す例において、ＣＰＵ２５は、ＣＬＯＣＫ２８から取得した時刻が７時００分００秒である場合、取得した時刻と一致する開始時刻を有する開始番組に係る情報として番組１５に係る情報をＲＡＭ２７に記憶されているＥＰＧ情報から抽出する。ＣＰＵ２５は、抽出した情報に含まれるチャンネル１を選局部１１の記憶チャンネルに指定する。広告判定部４１は、選局部１１の記憶チャンネルで選局された映像ＣＭ１が広告に係る映像であると判定し、バス３２に広告判定信号を出力しＣＰＵ２５に与える。ＣＰＵ２５は、単一記憶処理又は順次記憶処理を実行している場合、広告判定信号を検出している期間、記憶部２４に縮小映像の記憶を停止させることにより、広告に係る映像ＣＭ１を記憶させないよう構成されている。ＣＰＵ２５は、広告判定部４１が出力する広告判定信号を検出しなくなった場合、記憶部２４に縮小映像の記憶を開始させる。
【００６５】
図１２に示す例において、番組抽出処理により番組１５に係る情報を抽出した場合、単一記憶処理を実行し、標準の記憶時間ｔ０を有する時間範囲１５ａにおける番組１５の縮小映像が番組名「ニュースＣ」及び記憶開始時刻と関連付けて記憶部２４に記憶する。ＣＰＵ２５は、単一記憶処理又は順次記憶処理により縮小映像が記憶される都度、一覧映像生成処理を実行し記憶部２４に一覧映像を記憶させ、放送中の番組の一覧表示の指示を受け付けた場合、読み出して映像表示部１９に表示する。
【００６６】
ＣＰＵ２５は、単一記憶処理又は順次記憶処理により記憶部２４への縮小映像の記憶が行われている最中、又は広告判定部４１の判定結果により記憶の中断が行われている最中に、操作受付部３０又は操作受信部３１が出力する一覧表示割込信号を検出した場合、後記する全番組順次記憶処理を含む割込処理を実行する。全番組順次記憶処理においては、広告判定信号に基づく縮小映像の記憶の停止は行われず、選局部１１の記憶チャンネルを全チャンネルに順次切り替えて広告に係る映像を含む全チャンネルで放送される番組の縮小映像が記憶部２４に記憶される。
【００６７】
また、全番組順次記憶処理においては、縮小映像の記憶時間として標準の記憶時間ｔ０（例えば１５秒）及び短縮された記憶時間ｔ１（例えば５秒）よりも短い記憶時間ｔ２（例えば１秒）が設定される。ＣＰＵ２５は、全チャンネルで放送される番組の縮小映像を記憶部２４に記憶した後に、一覧映像生成処理を実行して記憶部２４に一覧映像を生成して記憶し、記憶した一覧映像を読み出して映像表示部１９に表示する。ＣＰＵ２５は、一覧映像に基づいて視聴チャンネルの指定を受け付ける。ＣＰＵ２５は、視聴チャンネルの指定を受け付けた場合、一覧映像の表示を停止し、指定された視聴チャンネルで放送されている番組の映像を表示すると共に、割込処理を行う際に中断された映像記憶処理等を再開する。
【００６８】
図１３は、実施の形態２に係る割込処理の手順を示すフローチャートである。ＣＰＵ２５は、映像記憶処理を実行している状態で、操作受付部３０又は操作受信部３１が一覧表示の指示を受け付けてバス３２に出力する一覧表示割込信号を検出した場合、映像記憶処理を中断して割込処理を実行し、割込処理の終了後に中断している映像記憶処理を再開するよう構成されている。ＣＰＵ２５は、一覧表示割込信号を検出した時点で前記の順次記憶処理による縮小映像の記憶を実行している状態であるか否かを判定する（ステップＳ８１）。
【００６９】
ＣＰＵ２５は、縮小映像の記憶を実行している状態であると判定した場合（ステップＳ８１でＹＥＳ）、後記する全番組順次記憶処理を実行した後（ステップＳ８２）、全番組順次記憶処理により記憶部２４に記憶された縮小映像に基づいて、一覧映像生成処理を実行する（ステップＳ８３）。ＣＰＵ２５は、記憶部２４に記憶されている一覧映像を読み出してＯＳＤ部２３を介して映像表示部１９に表示されている視聴番組に係る映像に重畳させて一覧映像の表示を開始する（ステップＳ８４）。ＣＰＵ２５は、操作受付部３０又は遠隔操作装置３が一覧映像に表示されている縮小映像の１つを指定する操作を受け付けたか否かを判定する（ステップＳ８５）。
【００７０】
ＣＰＵ２５は、受け付けていないと判定した場合（ステップＳ８５でＮＯ）、縮小映像の１つを指定する操作を受け付けたか否かを判定するステップＳ８５に処理を戻す。ＣＰＵ２５は、受け付けたと判定した場合（ステップＳ８５でＹＥＳ）、指定された縮小映像に関連付けられて記憶部２４に記憶されているチャンネルを読み出して選局部１１の視聴チャンネルに指定する（ステップＳ８６）。ＣＰＵ２５は、一覧映像の表示を停止し（ステップＳ８７）、映像表示部１９には選局部１１の視聴チャンネルで選局されたチャンネルで放送される番組の映像が表示され、割込処理を終了する。
【００７１】
ＣＰＵ２５は、一覧表示割込信号を検出した時点で前記の順次記憶処理による縮小映像の記憶を実行している状態であるか否かを判定するステップＳ８１において、縮小映像の記憶を実行している状態でないと判定した場合（ステップＳ８１でＮＯ）、ＲＡＭ２７に記憶されている一覧表示フラグをセットし（ステップＳ８８）、割込処理を終了する。
【００７２】
図１４は、実施の形態２に係る単一記憶処理の手順を示すフローチャートである。ＣＰＵ２５は、番組抽出処理において抽出した情報に含まれる単一のチャンネルを選局部１１の記憶チャンネルに指定する（ステップＳ９１）。ＣＰＵ２５は、タイマ２９のタイマ時間に記憶時間ｔ０を設定する（ステップＳ９２）。ＣＰＵ２５は、広告判定部４１が出力する広告判定信号を検出したか否かを判定する（ステップＳ９３）。ＣＰＵ２５は、広告判定信号を検出したと判定した場合（ステップＳ９３でＹＥＳ）、広告判定信号を検出したか否かを判定するステップＳ９３に処理を戻す。
【００７３】
ＣＰＵ２５は、広告判定信号を検出していないと判定した場合（ステップＳ９３でＮＯ）、ＣＬＯＣＫ２８が出力する時刻を記憶開始時刻として取得する（ステップＳ９４）。ＣＰＵ２５は、番組抽出処理において抽出した情報に含まれる番組名及び取得した記憶開始時刻に関連付けて記憶部２４に縮小映像の記憶を開始させる（ステップＳ９５）。ＣＰＵ２５は、タイマ２９にカウントダウンを開始させる（ステップＳ９６）。ＣＰＵ２５は、カウントダウン終了と共にタイマ２９から出力されるタイマ信号を検出したか否かを判定する（ステップＳ９７）。
【００７４】
ＣＰＵ２５は、タイマ信号を検出していないと判定した場合（ステップＳ９７でＮＯ）、タイマ信号を検出したか否かを判定するステップＳ９７に処理を戻す。ＣＰＵ２５は、タイマ信号を検出したと判定した場合（ステップＳ９７でＹＥＳ）、記憶部２４に縮小映像の記憶を停止させて（ステップＳ９８）、単一記憶処理を終了する。
【００７５】
図１５は、実施の形態２に係る順次記憶処理の手順を示すフローチャートである。ＣＰＵ２５は、前記の番組抽出処理で抽出した開始番組に係る情報に含まれる複数のチャンネルを、チャンネル番号が小さいものから大きいものへと並べて、最初のチャンネルを選局部１１の記憶チャンネルに指定する（ステップＳ１０１）。ＣＰＵ２５は、タイマ２９のタイマ時間に記憶時間ｔ１を設定する（ステップＳ１０２）。ＣＰＵ２５は、広告判定部４１が出力する広告判定信号を検出したか否かを判定する（ステップＳ１０３）。ＣＰＵ２５は、広告判定信号を検出したと判定した場合（ステップＳ１０３でＹＥＳ）、広告判定信号を検出したか否かを判定するステップＳ１０３に処理を戻す。
【００７６】
ＣＰＵ２５は、広告判定信号を検出しなかった場合（ステップＳ１０３でＮＯ）、ＣＰＵ２５は、ＣＬＯＣＫ２８が出力する時刻を記憶開始時刻として取得する（ステップＳ１０４）。ＣＰＵ２５は、番組名及び記憶開始時刻と関連付けて記憶部２４に縮小映像の記憶を開始させる（ステップＳ１０５）。ＣＰＵ２５は、タイマ２９にカウントダウンを開始させる（ステップＳ１０６）。ＣＰＵ２５は、カウントダウン終了と共にタイマ２９から出力されるタイマ信号を検出したか否かを判定する（ステップＳ１０７）。
【００７７】
ＣＰＵ２５は、タイマ信号を検出していないと判定した場合（ステップＳ１０７でＮＯ）、タイマ信号を検出したか否かを判定するステップＳ１０７に処理を戻す。ＣＰＵ２５は、タイマ信号を検出したと判定した場合（ステップＳ１０７でＹＥＳ）、記憶部２４に縮小映像の記憶を停止させる（ステップＳ１０８）。ＣＰＵ２５は、選局部１１の記憶チャンネルに、決定された順番において最後のチャンネルが指定されているか否かを判定する（ステップＳ１０９）。
【００７８】
ＣＰＵ２５は、最後のチャンネルが指定されていないと判定した場合（ステップＳ１０９でＮＯ）、選局部１１の記憶チャンネルに次の順番のチャンネルを指定して切り替える（ステップＳ１１０）。ＣＰＵ２５は、タイマ２９のタイマ時間に記憶時間ｔ１を設定するステップＳ１０２に処理を戻す。ＣＰＵ２５は、選局部１１の記憶チャンネルに、最後のチャンネルが指定されているか否かを判定するステップＳ１０９において、最後のチャンネルが指定されていると判定した場合（ステップＳ１０９でＹＥＳ）、順次記憶処理を終了する。
【００７９】
図１６は、全番組順次記憶処理の手順を示すフローチャートである。ＣＰＵ２５は、放送中の全番組に係る情報をＲＡＭ２７に記憶されているＥＰＧ情報から抽出する（ステップＳ１２１）。ＣＰＵ２５は、抽出した全番組に係る情報に含まれる複数のチャンネルを、チャンネル番号が小さいものから大きいものへと並べて、最初のチャンネルを選局部１１の記憶チャンネルに指定する（ステップＳ１２２）。ＣＰＵ２５は、広告判定部４１が出力する広告判定信号を検出したか否かを判定する（ステップＳ１２３）。ＣＰＵ２５は、広告判定信号を検出したと判定した場合（ステップＳ１２３でＹＥＳ）、タイマ２９のタイマ時間に最短の記憶時間ｔ２を設定する（ステップ１２４）。
【００８０】
ＣＰＵ２５は、広告判定信号を検出していないと判定した場合（ステップＳ１２３でＮＯ）、タイマ２９のタイマ時間に記憶時間ｔ１を設定する（ステップＳ１３２）。ＣＰＵ２５は、タイマ時間に記憶時間ｔ２（ステップＳ１２４）又はｔ１（ステップＳ１３２）を設定した後、ＣＬＯＣＫ２８が出力する時刻を記憶開始時刻として取得する（ステップＳ１２５）。ＣＰＵ２５は、抽出した全番組に係る情報に含まれる番組名及び取得した記憶開始時刻と関連付けて、映像圧縮部２２が記憶部２４に出力する縮小映像の記憶を記憶部２４に開始させる（ステップＳ１２６）。
【００８１】
ＣＰＵ２５は、タイマ２９にカウントダウンを開始させる（ステップＳ１２７）。ＣＰＵ２５は、カウントダウン終了と共にタイマ２９から出力されるタイマ信号を検出したか否かを判定する（ステップＳ１２８）。ＣＰＵ２５は、タイマ信号を検出していないと判定した場合（ステップＳ１２８でＮＯ）、タイマ信号を検出したか否かを判定するステップＳ１２８に処理を戻す。ＣＰＵ２５は、タイマ信号を検出したと判定した場合（ステップＳ１２８でＹＥＳ）、記憶部２４に縮小映像の記憶を停止させる（ステップＳ１２９）。ＣＰＵ２５は、選局部１１の記憶チャンネルに決定された順番において最後のチャンネルが指定されているか否かを判定する（ステップＳ１３０）。
【００８２】
ＣＰＵ２５は、最後のチャンネルが指定されていないと判定した場合（ステップＳ１３０でＮＯ）、選局部１１の記憶チャンネルに次の順番のチャンネルを指定して切り替える（ステップＳ１３１）。ＣＰＵ２５は、広告判定部４１が出力する広告判定信号を検出したか否かを判定するステップＳ１２３に処理を戻す。ＣＰＵ２５は、選局部１１の記憶チャンネルに最後のチャンネルが指定されているか否かを判定するステップＳ１３０において、最後のチャンネルが指定されていると判定した場合（ステップＳ１３０でＹＥＳ）、全番組順次記憶処理を終了する。
【００８３】
ＣＰＵ２５は、単一記憶処理及び順次記憶処理において広告判定部４１による広告判定信号を検出した場合には、縮小映像の記憶を中断するため、記憶部２４には、広告に係る映像の縮小映像が含まれない。従って、一覧映像生成処理により、広告に係る映像の縮小映像が含まれない一覧映像が記憶部２４に記憶される。また、ＣＰＵ２５は、縮小映像を記憶している最中又は広告判定部４１による広告判定信号を検出して縮小映像の記憶を中断している状態で一覧表示を受け付けた場合、広告に係る映像を含む全チャンネルで放送される番組の縮小映像を最短の記憶時間ｔ２を有して記憶することで、操作受付部３０又は操作受信部３１が出力する一覧表示割込信号を検出してから一覧映像を映像表示部１９に表示するまでの所要時間を短縮する。
【００８４】
本実施の形態２は以上の如き構成としてあり、その他の構成、作用及び処理は実施の形態１と同様であるので対応する部分には同一の参照番号又は処理名を付してその詳細な説明を省略する。
【００８５】
実施の形態３
図１７は、実施の形態３に係る映像記憶を説明するための番組表の例を示す模式図である。図１７に示すチャンネル１で放送される番組には、終了時刻１４時００分及び番組名「ドラマＡ」を有する番組１６と、開始時刻１４時００分、終了時刻１５時００分及び番組名「ドラマＢ」を有する番組１７と、開始時刻１５時００分及び番組名「ニュースＤ」を有する番組１８とが含まれている。また、チャンネル２で放送される番組には、終了時刻１４時００分及び番組名「ドラマＣ」を有する番組２３と、開始時刻１４時００分、終了時刻１５時３０分及び番組名「バラエティＤ」を有する番組２４とが含まれている。また、図中１７ａ及び１７ｂ、並びに２４ａ及び２４ｂは、夫々番組１７及び番組２４の縮小映像が映像記憶処理により記憶される時間範囲を示す。図中１８ａは、番組１８の縮小映像が映像記憶処理により記憶される時間範囲を示す。
【００８６】
ＣＰＵ２５は、ＣＬＯＣＫ２８から取得した時刻が１４時００分である場合、番組抽出処理により、番組として番組１７及び番組２４を取得し順次記憶処理を実行して、短縮された記憶時間ｔ１を有する時間範囲１７ａにおける番組１７の縮小映像及び記憶時間ｔ１を有する時間範囲２４ａにおける番組２４の縮小映像を記憶部２４に記憶する。ＣＰＵ２５は、ＲＡＭ２７に記憶されているＥＰＧ情報から取得した番組１７の開始時刻１４時００分及び終了時刻１５時００分から放送時間６０分を算出し、６０分の中間に位置する３０分を番組１７の縮小映像の更新すべき経過時間に設定する。
【００８７】
同様に、ＣＰＵ２５は、ＲＡＭ２７に記憶されているＥＰＧ情報から取得した番組２４の開始時刻１４時００分及び終了時刻１５時３０分から番組放送時間９０分を算出し、９０分の中間に位置する４５分を番組２４の縮小映像を更新すべき経過時間に設定する。ＣＰＵ２５は、番組抽出処理により、記憶部２４に記憶されている記憶開始時刻のうち、更新時間を経過した記憶開始時刻に関連付けられて記憶されている番組名を抽出し、既に記憶されている縮小映像を抽出した番組名に係る縮小映像で書き換えて、記憶されている縮小映像の更新を行う。図１７に示す例では、記憶部２４に記憶開始時刻１４時００分と関連付けられて時間範囲１７ａで示された短縮された記憶時間ｔ１（例えば５秒）を有する番組１７の縮小映像が記憶されている。
【００８８】
記憶開始時刻１４時００分から、設定された経過時間３０分を経過した１４時３０分に標準の記憶時間ｔ０（例えば１５秒）を有する時間範囲１７ｂにおける番組１７の縮小映像が単一記憶処理により記憶されて、時間範囲１７ａにおいて記憶された縮小映像が書き換えられ、更新される。また、記憶部２４に記憶開始時刻１４時００分０５秒と関連付けられて時間範囲２４ａで示された短縮された記憶時間ｔ１を有する番組２４の縮小映像が記憶されている。記憶開始時刻１４時００分０５秒から、設定された経過時間４５分を経過した１４時４５分０５秒に標準の記憶時間ｔ０を有する時間範囲２４ｂにおける番組２４の縮小映像が単一記憶処理により記憶されて、時間範囲２４ａにおいて記憶された縮小映像が書き換えられ、更新される。
【００８９】
図１８及び図１９は、実施の形態３に係る番組抽出処理の手順を示すフローチャートである。ＣＰＵ２５は、ＲＡＭ２７に記憶されているＥＰＧ情報を取得する（ステップＳ１４１）。ＣＰＵ２５は、ＣＬＯＣＫ２８が出力する時刻を取得する（ステップＳ１４２）。ＣＰＵ２５は、ＣＬＯＣＫ２８から取得した時刻と一致する開始時刻を有する開始番組をＲＡＭ２７に記憶されているＥＰＧ情報から検索する（ステップＳ１４３）。ＣＰＵ２５は、開始番組があるか否かを判定する（ステップＳ１４４）。ＣＰＵ２５は、開始番組があると判定した場合（ステップＳ１４４でＹＥＳ）、開始番組が放送されるチャンネル及び開始番組の番組名からなる開始番組に係る情報をＥＰＧ情報から抽出し（ステップＳ１５５）、番組抽出処理を終了する。
【００９０】
ＣＰＵ２５は、開始番組がないと判定した場合（ステップＳ１４４でＮＯ）、ＥＰＧ情報から放送中の番組名を抽出する（ステップＳ１４５）。ＣＰＵ２５は、抽出した放送中の番組名と同一の番組名が記憶部２４に縮小映像と共に記憶されているか否かを判定する（ステップＳ１４６）。ＣＰＵ２５は、放送中の番組名と同一の番組名が縮小映像と共に記憶されていないと判定した場合（ステップＳ１４６でＮＯ）、番組抽出処理を終了する。ＣＰＵ２５は、放送中の番組名と同一の番組名が縮小映像と共に記憶されていると判定した場合（ステップＳ１４６でＹＥＳ）、同一の番組名に関連付けて記憶されている記憶開始時刻を読み出す（ステップＳ１４７）。
【００９１】
ＣＰＵ２５は、ＣＬＯＣＫ２８から時刻を取得し（ステップＳ１４８）、記憶開始時刻からの経過時間を算出する（ステップＳ１４９）。ＣＰＵ２５は、ＥＰＧ情報に含まれる開始時刻及び終了時刻から、放送中の番組と同一の番組名に係る放送時間を取得する（ステップＳ１５０）。ＣＰＵ２５は、取得した放送時間の中間に位置する時間を、記憶開始時刻から縮小映像を更新する時点までの経過時間とする更新時間として決定する（ステップＳ１５１）。ＣＰＵ２５は、記憶部２４に記憶されている放送中の番組名と同一の番組名のうち、記憶開始時刻からの経過時間が更新時間に達しているか、又は越えている番組に係る番組、すなわち縮小映像を更新すべき更新番組を検索する（ステップＳ１５２）。ＣＰＵ２５は、更新番組があるか否かを判定する（ステップＳ１５３）。
【００９２】
ＣＰＵ２５は、更新番組がないと判定した場合（ステップＳ１５３でＮＯ）、番組抽出処理を終了する。ＣＰＵ２５は、更新番組があると判定した場合（ステップＳ１５３でＹＥＳ）、更新番組に係る情報をＥＰＧ情報から抽出し（ステップＳ１５４）、番組抽出処理を終了する。ＣＰＵ２５は、番組抽出処理において抽出した更新番組に係る情報に含まれる番組名及びチャンネルに基づいて前記の順次記憶処理又は単一記憶処理を含む映像記憶処理を実行する。
【００９３】
更新時間は、番組の放送時間の中間に位置する例を示したが、これに限るものではなく、番組の放送時間内であれば良い。また、更新時間は、番組の夫々に対して１つの値を指定するものに限らず、複数の異なる更新時間を決定するようにしても良い。例えば、放送時間３０分を有する番組の縮小映像を、開始時刻から記憶した後に、更新時間１０分及び２０分を経過した場合に、夫々縮小映像を書き換えて更新するようにしても良い。
【００９４】
本実施の形態３は以上の如き構成としてあり、その他の構成、作用及び処理は実施の形態１及び２と同様であるので対応する部分には同一の参照番号又は処理名を付してその詳細な説明を省略する。
【図面の簡単な説明】
【００９５】
【図１】実施の形態１に係るテレビジョン受像機の構成を示すブロック図である。
【図２】実施の形態１に係る映像記憶を説明するための番組表の例を示す模式図である。
【図３】一覧映像が表示された画面の例を示す模式図である。
【図４】映像記憶処理の手順を示すフローチャートである。
【図５】映像記憶処理の手順を示すフローチャートである。
【図６】実施の形態１に係る割込処理の手順を示すフローチャートである。
【図７】実施の形態１に係る番組抽出処理の手順を示すフローチャートである。
【図８】実施の形態１に係る単一記憶処理の手順を示すフローチャートである。
【図９】実施の形態１に係る順次記憶処理の手順を示すフローチャートである。
【図１０】一覧映像生成処理の手順を示すフローチャートである。
【図１１】実施の形態２に係るテレビジョン受像機の構成を示すブロック図である。
【図１２】実施の形態２に係る映像記憶を説明するための番組表の例を示す模式図である。
【図１３】実施の形態２に係る割込処理の手順を示すフローチャートである。
【図１４】実施の形態２に係る単一記憶処理の手順を示すフローチャートである。
【図１５】実施の形態２に係る順次記憶処理の手順を示すフローチャートである。
【図１６】全番組順次記憶処理の手順を示すフローチャートである。
【図１７】実施の形態３に係る映像記憶を説明するための番組表の例を示す模式図である。
【図１８】実施の形態３に係る番組抽出処理の手順を示すフローチャートである。
【図１９】実施の形態３に係る番組抽出処理の手順を示すフローチャートである。
【符号の説明】
【００９６】
１  テレビジョン受像機
２  アンテナ
３  遠隔操作装置
１１  選局部
１２  ＯＦＤＭ復調部
１３  分離部
１４  音声復調部
１５  音声出力部
１６  映像復調部
１７  フレームメモリ
１８  映像処理部
１９  映像表示部
２０  暗号解除部
２１  ＥＰＧ復調部
２２  映像圧縮部
２３  ＯＳＤ部
２４  記憶部
２５  ＣＰＵ
２６  ＲＯＭ
２７  ＲＡＭ
２８  ＣＬＯＣＫ
２９  タイマ
３０  操作受付部
３１  操作受信部
３２  バス
【図１】
2009055349.tif 000003
【図２】
2009055349.tif 000004
【図３】
2009055349.tif 000005
【図４】
2009055349.tif 000006
【図５】
2009055349.tif 000007
【図６】
2009055349.tif 000008
【図７】
2009055349.tif 000009
【図８】
2009055349.tif 000010
【図９】
2009055349.tif 000011
【図１０】
2009055349.tif 000012
【図１１】
2009055349.tif 000013
【図１２】
2009055349.tif 000014
【図１３】
2009055349.tif 000015
【図１４】
2009055349.tif 000016
【図１５】
2009055349.tif 000017
【図１６】
2009055349.tif 000018
【図１７】
2009055349.tif 000019
【図１８】
2009055349.tif 000020
【図１９】
2009055349.tif 000021